(57)【要約】      （修正有）【課題】吹き零れを抑制でき、使用中に鍋の中で浮き上がったり沈んだりしてカタカタと音を立てることもなく、調理後の取り出しも容易な吹き零れ防止具を提供する。【解決手段】吹き零れ防止具１は、ステンレス板にて中央部に向かって凸形状に、かつ円盤状に形成され、裏面は逆さ凹部形状に形成されると共に、少なくとも１つの貫通孔２を有している。裏面に溜まる細かい気泡が大きな気泡となって貫通孔から上昇して破壊するため吹き零れを抑制でき、裏面に発生した気泡を貫通孔から上昇させるため、使用中に鍋の中で浮き上がったり沈んだりしてカタカタと音を立てることがなく、また、調理後には貫通孔に引っ掛けて吹き零れ防止具を調理鍋等から容易に取り出すことができる。【選択図】図１
0003197514.tif 000002
【実用新案登録請求の範囲】
【請求項１】
ステンレス板にて中央部に向かって凸形状に、かつ円盤状に形成され、裏面は逆さ凹部形状に形成されると共に、貫通孔を有していることを特徴とする吹き零れ防止具。
【請求項２】
前記吹き零れ防止具は、複数の前記貫通孔を有している請求項１に記載の吹き零れ防止具。
【請求項３】
前記吹き零れ防止具は、中央部に前記貫通孔を有している請求項１または２に記載の吹き零れ防止具。
【請求項４】
前記吹き零れ防止具は、取り出し用チェーンまたは紐を有している請求項１ないし３のいずれかに記載の吹き零れ防止具。
【請求項５】
前記吹き零れ防止具は、半径方向に沿って形成された山状溝部を有し、前記貫通孔は複数設けられると共に前記山状溝部に沿って設けられている請求項１ないし４のいずれかに記載の吹き零れ防止具。
【請求項６】
前記吹き零れ防止具は、前記貫通孔が同一円周上に等角度離間して複数設けられると共に、前記複数の貫通孔の開口部は円周方向に沿って側方に向かって開口している請求項１ないし５のいずれかに記載の吹き零れ防止具。
【考案の詳細な説明】
【技術分野】
【０００１】
本考案は、調理用鍋などに入れて吹き零れを防止することができる吹き零れ防止具に関する。
【背景技術】
【０００２】
従来より、調理用鍋の中などに入れて吹き零れを防止する吹き零れ防止具が種々提案されている。例えばそのようなものとして、中央部が円形状凹部で、凹部を構成する外周縁に所定の幅員を以て表面を凸形状に、裏面を凹形状とする膨出部を形成し、膨出部の外周縁部に複数の切欠部を形成した金属板等の吹き零れ防止具がある（実開昭６３−３７１３９号公報）。この吹き零れ防止具は、鍋底から発生する細かい気泡を裏面の凹形状膨出部で受け止めて大きな気泡にして切欠部から上昇させると、大きい気泡は壊れやすいことから多数の気泡が鍋内に発生することがなくなり、吹き零れが防止されるという作用効果を奏するものである。
【０００３】
しかし、この吹き零れ防止具は、使用中に鍋の中で浮き上がったり沈んだりしてカタカタと音を立てるため不快感を生起させるものであった。また、調理後の取り出しが困難であった。
【先行技術文献】
【特許文献】
【０００４】
【特許文献１】実開昭６３−３７１３９号公報
【考案の概要】
【考案が解決しようとする課題】
【０００５】
そこで、本考案の課題は、吹き零れを抑制できることに加え、使用中に鍋の中で浮き上がったり沈んだりしてカタカタと音を立てることもなく、調理後の取り出しも容易な吹き零れ防止具を提供することにある。
【課題を解決するための手段】
【０００６】
上記課題を解決するものは、ステンレス板にて形成され、中央部に向かって凸形状に形成され、裏面は逆さ凹部形状に形成されると共に、貫通孔を有していることを特徴とする吹き零れ防止具である。
【０００７】
前記吹き零れ防止具は、複数の前記貫通孔を有していることが好ましい。前記吹き零れ防止具は、中央部に前記貫通孔を有していることが好ましい。前記吹き零れ防止具は、取り出し用チェーンまたは紐を有していることが好ましい。前記吹き零れ防止具は円盤状に形成されていることが好ましい。前記吹き零れ防止具は、半径方向に沿って形成された山状溝部を有し、前記貫通孔は複数設けられると共に前記山状溝部に沿って設けられていることが好ましい。前記吹き零れ防止具は、前記貫通孔が同一円周上に等角度離間して複数設けられると共に、前記複数の貫通孔の開口部は円周方向に沿って側方に向かって開口していることが好ましい。
【考案の効果】
【０００８】
請求項１に記載した吹き零れ防止具によれば、裏面に溜まる細かい気泡が大きな気泡となって貫通孔から上昇して破壊するため吹き零れを抑制でき、裏面に発生した気泡を貫通孔から上昇させるため、使用中に鍋の中で浮き上がったり沈んだりしてカタカタと音を立てることがなく、また、調理後には貫通孔に引っ掛けて吹き零れ防止具を調理鍋等から容易に取り出すことができる。
請求項２に記載した吹き零れ防止具によれば、大きな気泡を複数の貫通孔から分散させて上昇させることができ、単一の貫通孔で水柱が発生することを抑制できる。
請求項３に記載した吹き零れ防止具によれば、加熱により吹き零れ防止具の裏面に発生する気泡を中央頂部に設けられた貫通孔から大きな気泡にして上昇させることができ、吹き零れ防止具の裏面に気泡が滞留することを抑制できる。
請求項４に記載した吹き零れ防止具によれば、取り出し用チェーンまたは紐を手繰って吹き零れ防止具を調理鍋等から容易に取り出すことができる。
請求項５に記載した吹き零れ防止具によれば、より取扱い易く、鍋の底面形状に対応させた形状の吹き零れ防止具を構成できる。
請求項６に記載した吹き零れ防止具によれば、山状溝部に沿って加熱により吹き零れ防止具の裏面に発生する気泡の流路を形成できると共に、山状溝部に沿って形成された複数の貫通孔により、気泡を分散させて上昇させることができる。
請求項７に記載した吹き零れ防止具によれば、複数の貫通孔の開口部が円周方向に沿って気泡を側方に流出させるため、調理鍋等の中で回転流が発生して調理を促進させ加熱燃料を節約することができる。
【図面の簡単な説明】
【０００９】
【図１】本考案の吹き零れ防止具の一実施例の平面図である。
【図２】図１のＡ−Ａ線断面図である。
【図３】本考案の吹き零れ防止具の一実施例の平面図である。
【図４】図３のＢ−Ｂ線断面図である。
【図５】本考案の吹き零れ防止具の一実施例の平面図である。
【図６】図５のＣ−Ｃ線断面図である。
【図７】本考案の吹き零れ防止具の一実施例の平面図である。
【図８】図７のＤ−Ｄ線断面図である。
【考案を実施するための形態】
【００１０】
本考案は、ステンレス板にて形成され、中央部に向かって凸形状に形成され、裏面ａは逆さ凹部形状に形成されると共に、貫通孔２を有していることで、加熱により吹き零れ防止具の裏面ａに溜まる気泡を大きな気泡にして貫通孔から上昇させることができるため吹き零れを抑制できると共に、使用中に鍋の中で吹き零れ防止具１が浮き上がったり沈んだりしてカタカタと音を立てることがなく、調理後には貫通孔に引っ掛けて吹き零れ防止具１を調理鍋等から容易に取り出すことができる吹き零れ防止具１を実現した。
【実施例１】
【００１１】
本考案の吹き零れ防止具を図１または図２に示した一実施例を用いて説明する。
この実施例の吹き零れ防止具１は、ステンレス板にて形成され、中央部に向かって凸形状に形成され、裏面ａは逆さ凹部形状に形成されると共に、貫通孔２を有していることを特徴とする吹き零れ防止具である。以下、各構成について詳述する。
【００１２】
この実施例の吹き零れ防止具１は、ステンレス板にて形成されているため、錆びることがなく、長期に渡って衛生的に使用することができる。また、この実施例の吹き零れ防止具１は、図１に示すように、円盤状に形成されているため、より取扱い易く、鍋の底面形状に対応させた形態の吹き零れ防止具となっている。
【００１３】
吹き零れ防止具１は、図２に示すように、中央部に向かって凸形状に形成され、裏面ａは中央部が最も窪んでいる逆さ凹部形状に形成されている。これにより、鍋底から大量に発生する細かい気泡は、逆さ凹部形状の裏面ａにて受け止めて合体させ大きな気泡とすることができる。
【００１４】
貫通孔２は、逆さ凹部形状の裏面ａにて形成された大きな気泡の流出口として機能する部位である。この実施例の貫通孔２は、最頂部である中央部に設けられており、加熱により吹き零れ防止具の裏面ａに溜まった気泡を中央頂部に設けられた貫通孔２から大きな気泡にして上昇させることができ、吹き零れ防止具１の裏面ａに気泡が滞留して吹き零れ防止具自体を上昇させることを抑制できる。
【００１５】
つぎに、この実施例の吹き零れ防止具１の使用方法を作用と共に説明する。
吹き零れ防止具１を使用する場合は、調理用鍋等の底にこの吹き零れ防止具１を載置する。あとは通常の調理時と同様であり水や食材を入れて加熱する。加熱が進行すると鍋底から細かい気泡が発生して吹き零れ防止具１の裏面ａに溜まっていくが、ここで細かい気泡は相互に合体して大きな気泡となって貫通孔２より上昇する。大きな気泡は、食材が麺等の気泡に粘性を与える食材であっても気泡を維持できず上昇しては破裂する。このため、気泡が大量に発生することがなくなり吹き零れが抑制される。また、気泡は吹き零れ防止具１が浮き上がる前に貫通孔２から抜け出るため、調理中に鍋の中で吹き零れ防止具１が浮き上がったり沈んだりしてカタカタと音を立てることもない。さらに、調理後には貫通孔２に菜箸の先などを引っ掛けて吹き零れ防止具１を調理鍋等から容易に取り出すことができる。
【００１６】
さらに、図３または図４に示した吹き零れ防止具１０について説明する。
この実施例の吹き零れ防止具１０と前述した吹き零れ防止具１との相違は、吹き零れ防止具１０が複数の貫通孔２，１１，１２を有している点と、吹き零れ防止具１０が半径方向に沿って９０度間隔に４本の山状溝部１３を有しており、複数の貫通孔１１，１２は山状溝部１３に沿って形成されている点のみである。吹き零れ防止具１と同一構成部分については同一符号を付し説明を省略する。
【００１７】
このように、吹き零れ防止具１０が複数の貫通孔２，１１，１２を有していることにより、大きな気泡を複数の貫通孔２，１１，１２から分散させて上昇させることができ、単一の貫通孔２で水柱が発生することを抑制できる。また、吹き零れ防止具１０が半径方向に沿って９０度間隔に４本の山状溝部（表面側が凸条部で裏面ａ側が凹条部となる溝部）１３を有しており、複数の貫通孔１１，１２は山状溝部１３に沿って形成されていることで、山状溝部１３に沿って、加熱により吹き零れ防止具１０の裏面ａに発生する気泡の流路を形成できると共に、山状溝部１３に沿って形成された複数の貫通孔１１，１２により、気泡を分散させて上昇させることができる。
【００１８】
さらに、図５および図６に示した吹き零れ防止具２０について説明する。
この実施例の吹き零れ防止具２０と前述した吹き零れ防止具１０との基本的な相違は、吹き零れ防止具２０が取り出し用チェーン２１を有している点である。吹き零れ防止具１０と同一構成部分については同一符号を付し説明を省略する。
【００１９】
具体的には、この実施例の吹き零れ防止具２０は、半径方向に沿って１２０度間隔に形成された３本の山状溝部２３に沿ってそれぞれ２つ設けられた貫通孔２２の外周縁側の一つに取り出し用チェーン２１が取り付けられている。この取り出し用チェーン２１は調理用鍋の鍋底に吹き零れ防止具２０を載置した状態で調理用鍋の外方に他端が位置できる長さを有しており、調理後は他端に設けられたリング２１ａを把持して持ち上げることで調理鍋から吹き零れ防止具２０を容易に取り出せるように構成されている。
【００２０】
このように、吹き零れ防止具には、取り出し用チェーンまたは紐が設けられていてもよく、これにより、取り出し用チェーンまたは紐を手繰って吹き零れ防止具を調理鍋等から容易に取り出すことができる。
【００２１】
さらに、図７および図８に示した吹き零れ防止具３０について説明する。
この実施例の吹き零れ防止具３０と前述した吹き零れ防止具１との基本的な相違は、中央部に設けられた貫通孔２がない点と、複数の貫通孔３１の開口部３２が同一円周上に等角度離間して設けられ、複数の貫通孔３１の開口部は円周方向に沿って側方に向かって開口している点である。吹き零れ防止具１と同一構成部分については同一符号を付し説明を省略する。
【００２２】
この実施例の吹き零れ防止具３０の貫通孔３１は、同一円周上に９０度間隔に設けられた４つの貫通孔から形成されている。これら４つの貫通孔３１の上方および三方がステンレスにて一体的に覆われており、開口部３２は円周方向に沿い、かつ側方（この実施例では接線方向）に向かってそれぞれ開口している。このため、４つの開口部３２が円周方向に沿って気泡を流出させるため、調理鍋等の中で回転流が発生して調理を促進させ加熱燃料を節約することができる。なお、この実施例は中央部に貫通孔を有していないが、中央頂部にも貫通孔を有するものも本考案の範疇に包含される。
【符号の説明】
【００２３】
１      吹き零れ防止具
ａ      裏面
２      貫通孔
１０    吹き零れ防止具
１１    貫通孔
１２    貫通孔
１３    山状溝部
２０    吹き零れ防止具
２１    取り出し用チェーン
２２    貫通孔
２３    山状溝部
３０    吹き零れ防止具
３１    貫通孔
３２    開口部
【図１】
0003197514.tif 000003
【図２】
0003197514.tif 000004
【図３】
0003197514.tif 000005
【図４】
0003197514.tif 000006
【図５】
0003197514.tif 000007
【図６】
0003197514.tif 000008
【図７】
0003197514.tif 000009
【図８】
0003197514.tif 000010